(57)【要約】      （修正有）【課題】使用者がより容易に制御でき、より汎用性が高く、より安価に、各装置が統一的な動作を行う協働装置および協働システムを提供する。【解決手段】親機１は、有意データを含む信号を無線で送信する機能を有し、専用のプログラムをインストールされた汎用コンピュータである。子機３Ａ，３Ｂ，３Ｃ，３Ｄ，３Ｅは、信号を受信する受信機を有し、内蔵するＭＣＵで受信した信号に有意データが存在するかを判定する。有意データが存在した場合、子機３Ａ，３Ｂ，３Ｃ，３Ｄ，３Ｅは、受信した信号に含まれるコマンドを解析し、解析結果にしたがってＬＥＤを駆動する。そして、受信機が受信したものと同様の信号を、送信機から送信する。【選択図】図１
0003193196.tif 000002
【実用新案登録請求の範囲】
【請求項１】
信号を受信する受信手段と、
前記受信手段が受信した信号に有意データが存在するかを判定する判定手段と、
前記有意データが存在した場合、前記受信手段が受信信号と同様の信号を送信する送信手段と、
を含む協働装置。
【請求項２】
前記有意データの内容に応じて、所定の処理を制御する制御手段をさらに含む、請求項１に記載の協働装置。
【請求項３】
発光する発光手段を備え、
前記制御手段は、前記有意データの内容に応じて、前記発光手段を制御する、請求項２に記載の協働装置。
【請求項４】
請求項１から３のいずれか一つに記載の協働装置と、
ユーザによる所定の操作またはプログラムに応じて、前記信号を発信する親機と、を組み合わせた協働システム。
【請求項５】
前記親機と、前記協働装置とが、同じ構成であることを特徴とする、請求項5に記載の協働システム。
【考案の詳細な説明】
【技術分野】
【０００１】
本考案は、複数の装置が統一的な動作を行うことを特徴とする協働装置及び協働システムに関する。
【背景技術】
【０００２】
下記の特許文献１には、観客席に分散配置された複数の受信機付き発光装置（観客の持つペンライト）を、無線送信装置から送られる電波により、統一的に点滅させる舞台演出方法が開示されている。
【０００３】
また、下記の特許文献２には、特許文献１と同様のシステムにおいて、発光装置に、親機からの無線に応じて発光するモードと、内部タイマーに応じて発光するモードと、を切り替えて制御する制御手段を加えたシステムが開示されている。
【先行技術文献】
【特許文献】
【０００４】
【特許文献１】特開Ｓ６２−４０１０１
【特許文献２】特開２０１３−１９１３５７
【考案の概要】
【考案が解決しようとする課題】
【０００５】
上記の特許文献に記載のシステムは、装置の数が多い時、親機からの無線が常に装置に届くとは限らない。このため、親機が全ての装置を統一的に制御することは困難である。また、電波、光、音等の無線通信手段は、多くの場合、会場の環境によって親機から各子機への無線の届きやすさが全く異なる。
【０００６】
このため、先行技術文献に記載されたシステムの使用者は、事前に専門家を派遣して、親機の配置やプログラムを綿密に調整しなければならない。また、会場の規模によっては複数の親機が必要になるが、環境により望ましい位置に親機を設置できない場合がある。これらの理由から、従来の装置やシステムは、汎用性が低く、システム全体の運用コストが高いと言える。
【０００７】
そこで、本考案は、使用者がより容易に制御でき、より汎用性が高く、より安価に、各装置が統一的な動作を行う協働装置および協働システムを提供する。
【課題を解決するための手段】
【０００８】
本考案の第一の観点によれば、協働装置は、信号を受信する受信手段と、前記受信手段が受信した信号に有意データが存在するかを判定する判定手段と、前記有意データが存在した場合、前記受信手段が受信信号と同様の信号を送信する送信手段と、
を含む。
【０００９】
前記有意データの内容に応じて、所定の処理を制御する制御手段をさらに含む構成にしてもよい。
【００１０】
発光する発光手段、音を発生させる発音手段等、なんらかのエフェクトを発生させる手段をさらに備え、前記制御手段が、前記有意データの内容に応じて、前記発光手段等のエフェクト発生手段を制御する構成にしてもよい。
【００１１】
本考案の第二の観点によれば、協働システムは、上記の協働装置と、ユーザによる所定の操作またはプログラムに応じて、前記信号を発信する親機と、を組み合わせたシステムとなる。
【００１２】
この第二の観点において、前記親機と各協働装置は、同じ構成の装置であってもよい。
【考案の効果】
【００１３】
上記本考案の構成によれば、協働装置は有意データが含まれる信号を、波紋が広がるように次の協働装置に伝えていくことができる。そして、各協働装置で有意データを共有することができる。
【００１４】
協働装置は例えばコンサート会場の各観客に装着されて分散配置され、信号及び有意データは、波紋が広がるように各協働装置に伝えられていく。このため、信号送信手段が親機にしか存在しなかった従来のシステムに比べて、容易に各装置に有意データを送ることができる。例えば、親機からの信号が障害物に遮られて届かないような時でも、他の協働装置から送信された信号を受信し、有意データを共有することができる。
【００１５】
協働装置に制御手段を加えた場合、有意データの内容に応じて協働装置が統一的な動作を行うことができる。例えば発光手段等各種エフェクト手段の制御等の処理を行わせれば、特許文献１や２に記載のシステムと同様の効果を、より簡単に実現することができる。
【００１６】
本考案の第二の観点のように、ユーザが操作する親機を加えることで、あるユーザが各協働装置を制御し、統一的な動作をさせることができる。
【００１７】
ここで親機と各協働装置とは同じ機器であり、任意のユーザの操作が発端となって、周囲の各協働装置が統一的な動作をできるようにしてもよい。
【図面の簡単な説明】
【００１８】
【図１】本考案の実施の形態による協働システムの概念図である。
【図２】図１の子機３の電気的構成を示す図である。
【図３】図１の親機１の処理の流れを示すフローチャートである。
【図４】図１の子機３の処理の流れを示すフローチャートである。
【考案を実施するための形態】
【実施例】
【００１９】
以下、本考案の実施の形態について、図面を参照しながら説明する。なお、図中、同一または相当部分については同一の参照符号を付してその説明を援用する。
【００２０】
本考案の実施の形態による協働システムの概念図である。図１を参照して、この協働システムは、親機１と複数の子機３を含む。図中、子機３が複数存在することを示すために、各個体を示すために子機３Ａ、３Ｂ、３Ｃ、３Ｄ、３Ｅを概念的に示したが、実際にはより多くの子機３が存在する。各子機は同じ構成の機器であり、区別する必要が無い場合、単に子機３として説明する。
【００２１】
この実施の形態では、親機１は、一般的に流通しているパーソナルコンピュータやタブレットコンピュータ等に、後述する処理を実行するためのプログラムをインストールしたものである。また、図示していないが、子機３は、ＬＥＤを有するリストバンドであり、コンサート会場等で観客が各自装着して、演者を応援するため等に使用するものである。
【００２２】
図２は、図１の子機３の電気的構成を示す図である。図２を参照して、子機３は、各種処理を実行するＭＣＵ（マイクロ・コンピュータ・ユニット）３０１、ＬＥＤ３０９、プログラムを格納したプログラムメモリ３１１、電源３１３、受信機３１５および送信機３１７を含む。ＭＣＵ３０１の内部には、ＣＰＵ３０３、ＲＡＭ３０５、タイマー３０７が含まれる。
【００２３】
図１に戻り、親機１は無線送信機を備え、子機３のためにコマンドを含む信号を送信することができる。このコマンドは、ＬＥＤ３０９をどのように発光・点滅させるかを示すコマンドである。子機３は、有効なコマンドを含む信号を受信すると、コマンドに従った色、パターンでＬＥＤ３０９の発光・点滅を行う。なお、このコマンドは親機１を操作するユーザの操作によって発生する場合もあれば、親機１がインストールしたプログラムの中で自動的に生成される場合もある。この実施の形態におけるユーザとは、コンサート等の主催者およびその関係者である。
【００２４】
子機３は、有効なコマンドを含む信号を受信し、コマンドに従ってＬＥＤ３０９を駆動した後、送信機３１７から、受信機３１５が受信したのと同じ信号を送信する。これによって、波紋が広がるように信号が送信されていき、会場内の親機１からの信号が届きづらい位置にある子機３があったとしても、他の子機３から送信された信号によって、コマンドを共有することができる。
【００２５】
次に、フローチャートを用いて、おおまかな処理の流れを説明する。
図３は、親機１が行う処理の流れを説明するフローチャートである。図３を参照して、ステップＳ１で、親機１は、まずコマンドがあるか否かを判断し、コマンドがあればステップＳ３に進み、無ければ待機する。ステップＳ３で、親機１は、コマンドに応じた信号を作成する。ステップＳ５に進み、親機１は、ステップＳ３で作成した信号を送信し、ステップＳ１に戻る。
【００２６】
図４は、子機３が行う処理の流れを説明するフローチャートである。実際はＣＰＵ３０３が行う処理も、子機３が行う処理として説明する。
図４を参照して、ステップＳ７で、子機３は、なんらかの信号を受信するまで待機し、受信した場合はステップＳ９に進む。ステップＳ９で、子機３は、ステップＳ７で受信した信号が有効なコマンドを含むものか否かを判定し、有効であればステップＳ１１に進み、無効であればステップＳ７に戻る。
【００２７】
ステップＳ９の判定処理において、子機３は、受信した信号に含まれるコマンドが、過去に処理したコマンドか否かを判定する。これは、例えば親機１からコマンドを受信した後に、他の子機３から送信された信号を受信し、二重にＬＥＤ３０９を駆動させることが無いようにするための処理である。また、子機３は、送信中に一部の内容が欠けてしまった信号や、親機１や子機３とは別の機械から送信された信号等も、ステップＳ９の処理で排除する。コマンドが有効と判定すると、子機３は、そのコマンドを処理したことを、ＲＡＭ３０５に記録し、ステップＳ１１に進む。
【００２８】
ステップＳ１１で、子機３は、受信したコマンドに従って、ＬＥＤ３０９を駆動する。コマンドが特定の発光タイミングを指定している場合は、タイマー３０７を使いタイミングを調整する。
【００２９】
ステップＳ１３で、子機３は、ステップＳ７で受信した信号と同様の信号を送信する。
【００３０】
以上、上記の実施の形態の構成によれば、子機３は有効なコマンドが含まれる信号を、波紋が広がるように次の子機３に伝えていくことができる。そして、全ての子機３が有意データであるコマンドを共有することができる。
【００３１】
このため、信号送信手段が親機１にしか存在しなかった従来のシステムに比べて、容易に各子機３に有意データを送ることができる。例えば、親機１からの信号が障害物に遮られて届かないような時でも、他の子機３から送信された信号を受信し、有意データを共有することができる。
【００３２】
そして、子機３のＭＣＵ３０１によって、コマンドの内容に応じて子機３のＬＥＤ３０９に統一的な色、パターンで発光・点滅させることができる。
【００３３】
なお、本考案は、上記の実施の形態に限られるものではなく、その要旨を逸脱しない範囲で種々の態様において実施することが可能であり、例えば、次のような変形も可能である。
【００３４】
（１）子機３に、子機３の持ち主が自発的にＬＥＤ３０９を駆動させるための操作部をさらに設けてもよい。子機３が親機１からの信号でしか動作しないならば、コンサート等が終了すると、子機３を持つ観客にとって、子機３の利用価値が全く無くなってしまう。しかし、この変形例によれば、親機１が無いコンサートでも、ＬＥＤ３０９を光らせて歌手の応援を行う等の再利用ができる。当該操作部の操作に応じて生成されるコマンドを周囲の子機３に送信できるようにしてもよい。
【００３５】
（２）子機３に個体ＩＤをそれぞれ設け、特定の個体ＩＤだけがコマンドに応じてＬＥＤ３０９を駆動するようにしてもよい。
【００３６】
（３）子機３は、コマンドを共有し、ＬＥＤ３０９を統一的に駆動させたが、共有する有意データと、有意データに従った統一的な動作とは、これらに限定されず、機器さえ追できるのであれば、どのようなデータを共有し、どのような処理を行うのも自由である。例えば、子機３にスピーカーを設け、統一的に音を鳴らさせることもできる。また、子機３に表示装置を設け、統一的に画像・動画を表示させることもできる。
【符号の説明】
【００３７】
１…親機、３…子機、３０１…ＭＣＵ、３０３…ＣＰＵ、３０５…ＲＡＭ、３０７…タイマー、３０９…ＬＥＤ、３１１…プログラムメモリ、３１３…電源、３１５…受信機、３１７…送信機
【図１】
0003193196.tif 000003
【図２】
0003193196.tif 000004
【図３】
0003193196.tif 000005
【図４】
0003193196.tif 000006
【手続補正書】
【提出日】平成26年5月9日(2014.5.9)
【手続補正１】
【補正対象書類名】実用新案登録請求の範囲
【補正対象項目名】全文
【補正方法】変更
【補正の内容】
【実用新案登録請求の範囲】
【請求項１】
親機と、独立した複数の協働装置と、からなる集合体を構成し、各協働装置が親機から送信される所定の有意データを共有する協働装置であって、各協働装置が、
信号を受信する受信部と、
前記受信手段が受信した信号に前記有意データが存在するかを判定する判定部と、
前記有意データが存在した場合、前記受信手段が受信した信号と同様の信号を、別個体の協働装置の前記受信部に送信する送信部と、を具備する協働装置。
【請求項２】
前記有意データの内容に応じて、所定の処理を制御する制御部をさらに具備する、請求項１に記載の協働装置。
【請求項３】
発光する発光部をさらに具備し、
前記制御部は、前記有意データの内容に応じて、前記発光部を制御する、請求項２に記載の協働装置。
【手続補正書】
【提出日】平成26年7月23日(2014.7.23)
【手続補正１】
【補正対象書類名】実用新案登録請求の範囲
【補正対象項目名】全文
【補正方法】変更
【補正の内容】
【実用新案登録請求の範囲】
【請求項１】
親機と、独立した複数の協働装置と、からなる集合体を構成し、各協働装置が親機から送信される所定の有意データを共有する協働装置であって、各協働装置が、
信号を受信する受信部と、
前記受信部が受信した信号に前記有意データが存在するかを判定する判定部と、
前記有意データが存在した場合、前記受信部が受信した信号と同様の信号を、別個体の協働装置の前記受信部に送信する送信部と、を具備する協働装置。
【請求項２】
前記有意データの内容に応じて、所定の処理を制御する制御部をさらに具備する、請求項１に記載の協働装置。
【請求項３】
発光する発光部をさらに具備し、
前記制御部は、前記有意データの内容に応じて、前記発光部を制御する、請求項２に記載の協働装置。